【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
トレーに載った商品の重量をトレーごと計量し、該計量値に基づいて商品の正味重量を求めるとともに、包装装置と組み合わせて使用される計量装置において、
前記トレーの寸法に関する情報を検出する検出手段と、
前記検出手段により検出されたトレーの寸法情報に基づいてトレーの重量を求める手段と、
前記商品に添付される副材の重量を記憶する手段と、
を備え、
前記トレー重量と前記副材重量とを合計した重量を風袋重量として前記商品の正味重量を求め、
さらに、前記検出手段により検出されたトレーの寸法情報に基づいて前記包装装置による商品の包装条件を設定するようにしたことを特徴とする計量装置。
【請求項２】
トレーの種類ごとにトレーの重量を記憶すると共に、前記検出手段により検出されたトレーの寸法情報に基づいてトレーの種類を特定し、該特定したトレーの種類に基づいて前記トレー重量を読み出すことを特徴とする請求項１に記載の計量装置。
【請求項３】
トレーの種類ごとに前記包装条件を記憶すると共に、前記検出手段により検出されたトレーの寸法情報に基づいてトレーの種類を特定し、該特定したトレーの種類に基づいて前記包装条件を読み出すことを特徴とする請求項１または２のいずれかに記載の計量装置。
【請求項４】
トレーに載った商品の重量をトレーごと計量し、該計量値に基づいて商品の正味重量を求めるとともに、ラベル貼付装置と組み合わせて使用される計量装置において、
前記トレーの寸法に関する情報を検出する検出手段と、
前記検出手段により検出されたトレーの寸法情報に基づいてトレーの重量を求める手段と、
前記商品に添付される副材の重量を記憶する手段と、
を備え、
前記トレー重量と前記副材重量とを合計した重量を風袋重量として前記商品の正味重量を求め、
さらに、前記検出手段により検出されたトレーの寸法情報に基づいて前記ラベル貼付装置による商品に対するラベルの貼付条件を設定するようにしたことを特徴とする計量装置。
【請求項５】
トレーの種類ごとにトレーの重量を記憶すると共に、前記検出手段により検出されたトレーの寸法情報に基づいてトレーの種類を特定し、該特定したトレーの種類に基づいて前記トレー重量を読み出すことを特徴とする請求項４に記載の計量装置。
【請求項６】
トレーの種類ごとに前記貼付条件を記憶すると共に、前記検出手段により検出されたトレーの寸法情報に基づいてトレーの種類を特定し、該特定したトレーの種類に基づいて前記貼付条件を読み出すことを特徴とする請求項４または５のいずれかに記載の計量装置。
【請求項７】
トレーに載った商品の重量をトレーごと計量し、該計量値に基づいて商品の正味重量を求めるとともに、包装装置と組み合わせて使用される計量装置において、
前記トレーの寸法に関する情報を検出する検出手段と、
前記検出手段により検出されたトレーの寸法情報に基づいてトレーの重量及び該トレーを包装するフィルムの重量を求める手段と、
前記商品に添付される副材の重量を記憶する手段と、
を備え、
前記トレー重量と、前記フィルム重量と、前記副材重量とを合計した重量を風袋重量として前記商品の正味重量を求め、
さらに、前記検出手段により検出されたトレーの寸法情報に基づいて前記包装装置による商品の包装条件を設定するようにしたことを特徴とする計量装置。
【請求項８】
トレーの種類ごとにトレーの重量及び該トレーを包装するフィルムの重量を記憶すると共に、前記検出手段により検出されたトレーの寸法情報に基づいてトレーの種類を特定し、該特定したトレーの種類に基づいて前記トレー重量及び前記フィルム重量を読み出すことを特徴とする請求項７に記載の計量装置。
【請求項９】
トレーの種類ごとに前記包装条件を記憶すると共に、前記検出手段により検出されたトレーの寸法情報に基づいてトレーの種類を特定し、該特定したトレーの種類に基づいて前記包装条件を読み出すことを特徴とする請求項７または８のいずれかに記載の計量装置。
【請求項１０】
トレーに載った商品の重量をトレーごと計量し、該計量値に基づいて商品の正味重量を求めるとともに、ラベル貼付装置と組み合わせて使用される計量装置において、
前記トレーの寸法に関する情報を検出する検出手段と、
前記検出手段により検出されたトレーの寸法情報に基づいてトレーの重量及び該トレーを包装するフィルムの重量を求める手段と、
前記商品に添付される副材の重量を記憶する手段と、
を備え、
前記トレー重量と、前記フィルム重量と、前記副材重量とを合計した重量を風袋重量として前記商品の正味重量を求め、
さらに、前記検出手段により検出されたトレーの寸法情報に基づいて前記ラベル貼付装置による商品に対するラベルの貼付条件を設定するようにしたことを特徴とする計量装置。
【請求項１１】
トレーの種類ごとにトレーの重量及び該トレーを包装するフィルムの重量を記憶すると共に、前記検出手段により検出されたトレーの寸法情報に基づいてトレーの種類を特定し、該特定したトレーの種類に基づいて前記トレー重量及び前記フィルム重量を読み出すことを特徴とする請求項１０に記載の計量装置。
【請求項１２】
トレーの種類ごとに前記貼付条件を記憶すると共に、前記検出手段により検出されたトレーの寸法情報に基づいてトレーの種類を特定し、該特定したトレーの種類に基づいて前記貼付条件を読み出すことを特徴とする請求項１０または１１のいずれかに記載の計量装置。
【請求項１３】
前記包装条件は、商品を包装するフィルムのカット長さであることを特徴とする請求項１、２、３、７、８もしくは９のいずれかに記載の計量装置。
【請求項１４】
前記ラベルの貼付条件は、ラベルの貼付位置および貼付姿勢であることを特徴とする請求項４、５、６、１０、１１もしくは１２のいずれかに記載の計量装置。
【請求項１５】
請求項１ないし１４のいずれか１項に記載した計量装置を備えた商品処理装置。
【請求項１６】
請求項１ないし１４のいずれか１項において、商品およびトレーの種類に関連付けられて前記副材の重量が記憶されている計量装置。
【手続補正２】
【補正対象書類名】明細書
【補正対象項目名】０００６
【補正方法】変更
【補正の内容】
【０００６】
【課題を解決するための手段および発明の効果】
前記目的を達成するために、請求項１に記載の発明は、トレーに載った商品の重量をトレーごと計量し、該計量値に基づいて商品の正味重量を求めるとともに、包装装置と組み合わせて使用される計量装置において、前記トレーの寸法に関する情報を検出する検出手段と、前記検出手段により検出されたトレーの寸法情報に基づいてトレーの重量を求める手段と、前記商品に添付される副材の重量を記憶する手段と、を備え、前記トレー重量と前記副材重量とを合計した重量を風袋重量として前記商品の正味重量を求め、さらに、前記検出手段により検出されたトレーの寸法情報に基づいて前記包装装置による商品の包装条件を設定するようにしたことを特徴とする。
本発明によれば、トレーの寸法に関する情報を検出し、該検出寸法情報に基づいてトレーの重量を求め、これと商品に添付される副材の重量とを合計して風袋重量を求めるので、トレーが変わる毎にトレーのNo. などを入力しなくても、副材の重量も含めた風袋引きを行うことができる。したがって、計量作業が簡便になると共に、風袋引きを失念するおそれもない。しかも、検出されたトレーの寸法に基づいて、トレーの重量が求められるだけでなく、包装装置による商品の包装条件も設定される。
【手続補正３】
【補正対象書類名】明細書
【補正対象項目名】０００７
【補正方法】変更
【補正の内容】
【０００７】
請求項４に記載の発明は、トレーに載った商品の重量をトレーごと計量し、該計量値に基づいて商品の正味重量を求めるとともに、ラベル貼付装置と組み合わせて使用される計量装置において、前記トレーの寸法に関する情報を検出する検出手段と、前記検出手段により検出されたトレーの寸法情報に基づいてトレーの重量を求める手段と、前記商品に添付される副材の重量を記憶する手段と、を備え、前記トレー重量と前記副材重量とを合計した重量を風袋重量として前記商品の正味重量を求め、さらに、前記検出手段により検出されたトレーの寸法情報に基づいて前記ラベル貼付装置による商品に対するラベルの貼付条件を設定するようにしたことを特徴とする。
本発明によれば、トレーの寸法に関する情報を検出し、該検出寸法情報に基づいてトレーの重量を求め、これと商品に添付される副材の重量とを合計して風袋重量を求めるので、トレーが変わる毎にトレーのNo. などを入力しなくても、副材の重量も含めた風袋引きを行うことができる。したがって、計量作業が簡便になると共に、風袋引きを失念するおそれもない。しかも、検出されたトレーの寸法に基づいて、トレーの重量が求められるだけでなく、ラベル貼付装置による商品に対するラベルの貼付条件も設定される。
【手続補正４】
【補正対象書類名】明細書
【補正対象項目名】０００８
【補正方法】変更
【補正の内容】
【０００８】
請求項７に記載の発明は、トレーに載った商品の重量をトレーごと計量し、該計量値に基づいて商品の正味重量を求めるとともに、包装装置と組み合わせて使用される計量装置において、前記トレーの寸法に関する情報を検出する検出手段と、前記検出手段により検出されたトレーの寸法情報に基づいてトレーの重量及び該トレーを包装するフィルムの重量を求める手段と、前記商品に添付される副材の重量を記憶する手段と、を備え、前記トレー重量と、前記フィルム重量と、前記副材重量とを合計した重量を風袋重量として前記商品の正味重量を求め、さらに、前記検出手段により検出されたトレーの寸法情報に基づいて前記包装装置による商品の包装条件を設定するようにしたことを特徴とする。
本発明によれば、トレーおよび商品をフィルムでラップした後に計量する場合において、トレーの寸法に関する情報を検出し、該検出寸法情報に基づいてトレーの重量および該トレーを包装するフィルムの重量を求め、これと商品に添付される副材の重量とを合計して風袋重量を求めるので、トレーが変わる毎にトレーのNo. などを入力しなくても、副材の重量およびフィルムの重量を含めた風袋引きを行うことができる。したがって、計量作業が簡便になると共に、風袋引きを失念するおそれもない。しかも、検出されたトレーの寸法に基づいて、トレーおよびフィルムの重量が求められるだけでなく、包装装置による商品の包装条件も設定される。
【手続補正５】
【補正対象書類名】明細書
【補正対象項目名】０００９
【補正方法】変更
【補正の内容】
【０００９】
請求項１０に記載の発明は、トレーに載った商品の重量をトレーごと計量し、該計量値に基づいて商品の正味重量を求めるとともに、ラベル貼付装置と組み合わせて使用される計量装置において、前記トレーの寸法に関する情報を検出する検出手段と、前記検出手段により検出されたトレーの寸法情報に基づいてトレーの重量及び該トレーを包装するフィルムの重量を求める手段と、前記商品に添付される副材の重量を記憶する手段と、を備え、前記トレー重量と、前記フィルム重量と、前記副材重量とを合計した重量を風袋重量として前記商品の正味重量を求め、さらに、前記検出手段により検出されたトレーの寸法情報に基づいて前記ラベル貼付装置による商品に対するラベルの貼付条件を設定するようにしたことを特徴とする。
本発明によれば、トレーおよび商品をフィルムでラップした後に計量する場合において、トレーの寸法に関する情報を検出し、該検出寸法情報に基づいてトレーの重量および該トレーを包装するフィルムの重量を求め、これと商品に添付される副材の重量とを合計して風袋重量を求めるので、トレーが変わる毎にトレーのNo. などを入力しなくても、副材の重量およびフィルムの重量を含めた風袋引きを行うことができる。したがって、計量作業が簡便になると共に、風袋引きを失念するおそれもない。しかも、検出されたトレーの寸法に基づいて、トレーおよびフィルムの重量が求められるだけでなく、ラベル貼付装置による商品に対するラベルの貼付条件も設定される。
【手続補正６】
【補正対象書類名】明細書
【補正対象項目名】００１０
【補正方法】変更
【補正の内容】
【００１０】
本発明では、たとえばトレーの幅Ｗ，奥行Ｄおよび高さＨを検出し、下記の(10)式により、トレー重量Ｗｔを求める。
Ｗｔ＝Ｃｔ・｛Ｗ・Ｄ＋２Ｈ・（Ｗ＋Ｄ）｝        …(10)
但し、Ｃｔ：単位面積当たりのトレーの重さ
また、トレーおよび商品をフィルムでラップした後に計量する場合は、フィルム重量Ｗｆを下記の(11)式により求める。
Ｗｆ＝Ｃｆ・｛２・（Ｗ＋Ｈ）＋Ｌ｝        …(11)
但し、Ｃｆ：単位長さ当たりのフィルムの重さ
Ｌ：フィルムの重なり長さ
こうして求めた風袋重量Ｗｖを風袋込みの計量値から減算して、正味重量Ｗｃを求める。
また、商品をトレーごとフィルムでラップした後に計量した場合は、トレーの種類ごとにフィルム重量Ｗｆを予め設定登録しておき、特定したトレーの種類に基づいて、トレー重量Ｗｔおよびフィルム重量Ｗｆを読み出して、風袋重量Ｗｖ（Ｗｔ＋Ｗｆ）を計量値から減算して正味重量Ｗｃを求めてもよい。
【手続補正７】
【補正対象書類名】明細書
【補正対象項目名】００３９
【補正方法】削除
【補正の内容】
【手続補正８】
【補正対象書類名】明細書
【補正対象項目名】００４０
【補正方法】削除
【補正の内容】
【手続補正９】
【補正対象書類名】明細書
【補正対象項目名】００４１
【補正方法】削除
【補正の内容】
【手続補正１０】
【補正対象書類名】明細書
【補正対象項目名】００４２
【補正方法】削除
【補正の内容】